(57)【要約】  ケーブル・コネクター用ワイヤ・ガイド及びそれらを含むコネクター・アセンブリーである。そのワイヤ・ガイドにはケーブル開口部を形成する第一及び第二の部分が含まれる。その第一及び第二の部分は、ケーブル開口部を拡大して種々の寸法のケーブルをそのケーブル開口部内に受入れるように構成されている。
2007536710.tif 000002
【特許請求の範囲】
【請求項１】
ケーブル開口部の第一の部分を形成するために、構成された第一の面を有する第一のワイヤ・ガイドの部分、及び
前記第一のワイヤ・ガイドの部分に隣接して配置された第二のワイヤ・ガイドの部分を具備し、前記第二のワイヤ・ガイドの部分は、前記ケーブル開口部の第二の部分を形成するために、構成された第二の面を有し、
前記ケーブル開口部が種々の幅の電気ケーブルを受入れるために、前記ケーブル開口部を拡大できるように前記の第一及び第二のワイヤ・ガイドの部分の少なくとも一方が前記部分の他方に対して可動になっている
ことを特徴とするワイヤ・ガイド・アセンブリー。
【請求項２】
前記アセンブリーが、前記の第一及び第二のワイヤ・ガイドの部分の一方が前記の第一及び第二のワイヤ・ガイドの部分の他方に対して偏るように、少なくとも１個のスプリングから成っていることを特徴とする請求項１のワイヤ・ガイド・アセンブリー。
【請求項３】
前記アセンブリーが、前記第一のワイヤ・ガイドの部分を前記第二のワイヤ・ガイドの部分の方に偏らせるための第一のスプリング、及び、前記第二のワイヤ・ガイドの部分を前記第一のワイヤ・ガイドの部分の方に偏らせるための第二のスプリングから成っていることを特徴とする請求項１のワイヤ・ガイド・アセンブリー。
【請求項４】
前記アセンブリーが、さらに、種々の幅の前記電気ケーブルに電気的接続を行うために、前記の第一及び第二のワイヤ・ガイドの部分の少なくとも一方に結合した少なくとも１個の絶縁材除去型コネクター（ＩＤＣ）のフォークから成ることを特徴とする請求項１のワイヤ・ガイド・アセンブリー。
【請求項５】
前記アセンブリーが、前記の第一及び第二のワイヤ・ガイドの部分を前記の第一及び第二のワイヤ・ガイドの部分の一方を前記の第一及び第二のワイヤ・ガイドの部分の他方の方に偏らせるための少なくとも１個のスプリングから成っていることを特徴とする請求項４のワイヤ・ガイド・アセンブリー。
【請求項６】
前記アセンブリーが、さらに、種々の幅の前記電気ケーブルの第一の電極に電気的接続をするために、前記第一のワイヤ・ガイドの部分に結合された第一の絶縁材除去型コネクター（ＩＤＣ）のフォーク、及び、種々の幅の前記電気ケーブルの第二の電極に電気的接続をするために、前記第二のワイヤ・ガイドの部分に結合された第二のＩＤＣのフォークから成ることを特徴とする請求項１のワイヤ・ガイド・アセンブリー。
【請求項７】
前記アセンブリーが、前記第一のワイヤ・ガイドの部分を前記第二のガイドの部分の方に偏らせるための第一のスプリング、及び、前記の第二のワイヤ・ガイドの部分を前記の第一のワイヤ・ガイドの部分の方に偏らせるための第二のスプリングから成っていることを特徴とする請求項６のワイヤ・ガイド・アセンブリー。
【請求項８】
前記の第一及び第二のワイヤ・ガイドの部分のそれぞれが、その面から伸びていて、前記の第一及び第二のワイヤ・ガイドの部分の他方内の対応する機構と滑動可能に係合するように構成された少なくとも１個の突起を含むことを特徴とする請求項１のワイヤ・ガイド・アセンブリー。
【請求項９】
前記の第一及び第二のワイヤ・ガイドの部分のそれぞれを透明材料にして、前記ケーブル開口部内に配置されたケーブルの目視検査ができるようにしたことを特徴とする請求項１のワイヤ・ガイド・アセンブリー。
【請求項１０】
ハウジング；
前記ハウジング内に配置され、かつ、第一のケーブル開口部の部分を形成するように、かつ、構成された第一の面を有している第一のワイヤ・ガイドの部分；及び
前記の第一のワイヤ・ガイドの部分に隣接した前記ハウジング内に配置された第二のワイヤ・ガイドの部分を具備し、前記の第二のワイヤ・ガイドの部分が前記ケーブル開口部の第二の部分を形成するように構成された第二の面を有し、
前記ケーブル開口部が種々の幅の電気ケーブルを受けるために、前記ケーブル開口部が拡大できるように前記の第一及び第二のワイヤ・ガイドの部分の少なくとも一方が前記の部分の他方に対して可動である
ことを特徴とするコネクター・アセンブリー。
【請求項１１】
前記アセンブリーが、前記の第一及び第二のワイヤ・ガイドの部分の一方を前記の第一及び第二のワイヤ・ガイドの部分の他方に向けて偏るように少なくとも１個のスプリングから成っていることを特徴とする請求項１０のコネクター・アセンブリー。
【請求項１２】
前記アセンブリーが、前記第一のワイヤ・ガイドの部分が前記第二のワイヤ・ガイドの部分に向けて偏るために第一のスプリング、及び、前記第二のワイヤ・ガイドの部分が前記第一のワイヤ・ガイドの部分に向けて偏るために第二のスプリングから成っていることを特徴とする請求項１０のコネクター・アセンブリー。
【請求項１３】
前記アセンブリーが、さらに、種々の幅の前記電気ケーブルへの電気的接続を行うために前記の第一及び第二のワイヤ・ガイドの部分の前記少なくとも１個に接続された少なくとも１個の絶縁材除去型コネクター（ＩＤＣ）のフォークから成っていることを特徴とする請求項１０のコネクター・アセンブリー。
【請求項１４】
前記アセンブリーが前記の第一及び第二のワイヤ・ガイドの部分の一方を前記の第一及び第二のワイヤ・ガイドの部分の他方に向けて偏るための少なくとも１個のスプリングから成っている請求項１３のコネクター・アセンブリー。
【請求項１５】
前記アセンブリーが、さらに、種々の幅の前記電気ケーブルの第一電極に電気的接続を行うために前記の第一のワイヤ・ガイドの部分に結合された第一の絶縁材除去型コネクター（ＩＤＣ）のフォーク、及び、種々の幅の前記電気ケーブルの第二電極に電気的接続を行うために前記の第二のワイヤ・ガイドの部分に接続された第二のＩＤＣのフォークから成っていることを特徴とする請求項１０のコネクター・アセンブリー。
【請求項１６】
前記アセンブリーが前記第一のワイヤ・ガイドの部分を前記第二のワイヤ・ガイドの部分に向けて偏るための第一のスプリング、及び、前記第二のワイヤ・ガイドの部分を前記第一のワイヤ・ガイドの部分に向けて偏るための第二のスプリングから成っていることを特徴とする請求項１５のコネクター・アセンブリー。
【請求項１７】
前記の第一及び第二のワイヤ・ガイドの部分のそれぞれが、その面から伸びていて、かつ、前記の第一及び第二のワイヤ・ガイドの部分の他方内の対応する機構と滑動可能に係合するように構成された少なくとも１個の突起から成ることを特徴とする請求項１０のコネクター・アセンブリー。
【請求項１８】
前記の第一及び第二のワイヤ・ガイドの部分のそれぞれを透明材料にして、前記ケーブル開口部内に配置されたケーブルの目視検査ができるようにしたことを特徴とする請求項１０のコネクター・アセンブリー。
【請求項１９】
ケーブルに電気的接続をする方法で、
第一のワイヤ・ガイドの部分がケーブル開口部の第一の部分を形成するように構成された第一の面を有すること、
第二のワイヤ・ガイドの部分が前記第一のワイヤ・ガイドの部分に隣接して配置されること、前記第二のワイヤ・ガイドの部分が前記ケーブルの開口部の第二の部分を形成するように構成された第二の面を有すること、前記ケーブル開口部が拡大できるように、前記の第一及び第二のワイヤ・ガイドの部分の少なくとも一方が前記部分の他方に対して可動であること、
前記ケーブルを前記ケーブル開口部内に挿入すること、
前記ケーブルの導体を絶縁材除去型コネクター（ＩＤＣ）のフォークに電気的に接続することから成るワイヤ・ガイド・アセンブリーを提供することを特徴とする前記方法。
【請求項２０】
前記アセンブリーが、前記の第一及び第二のワイヤ・ガイドの部分の一方を前記の第一及び第二のワイヤ・ガイドの部分に向けて偏らせるために少なくとも１個のスプリングから成っていることを特徴とする請求項１９の方法。
【発明の詳細な説明】
【技術分野】
【０００１】
本発明は全体として調節可能なケーブル・コネクター(cable connector)用ワイヤ・ガイド(wire guide)及びそれらを組込んだコネクター・アセンブリー(connectorassembly)に関する。
【０００２】
本出願書は特許文献１の利点を主張していて、特許文献１の内容は参考用として、本明細書に組込まれている。
【背景技術】
【０００３】
電力線、接地された電力線、又は、加熱ケーブル(cable)のような長いケーブルは、しばしば、他の長いケーブル又は壁のコンセント(outlet)のような電源に電気的に接続する必要がある。しばしば、電源に接続するのに電気プラグ(plug)が用いられる。コネクター又はプラグへのケーブル接続には、良好な電気的接続を実現するために、特別な工具の使用だけでなく、退屈で、かつ、技能で左右されやすい組立を必要とする。
【０００４】
長い加熱ケーブルは頻繁にコネクター又はプラグへの接続を必要とする一種のケーブルである。そのような電熱ケーブルはパイプ(pipe)の凍結防止と温度維持に用いられることが知られている。特に有用な長い電熱ケーブルに含まれているのは、第一及び第二の長い電極、電極間に平行に接続された複数の電熱用抵抗要素、例えば、電極が埋込まれた、又は、電極の回りに巻付けられた導電性ポリマー(polymer)の連続ストリップ(strip)、及び、電極及び加熱要素を囲んでいる絶縁ポリマーから成っている絶縁ジャケット(jacket)である。さらに、加熱ケーブルには、しばしば、ブレイド(braid)又はテープの形で、絶縁ジャケットを囲んでいて、加熱ケーブルの電気的接地に役立ち、耐摩耗性を与えている金属の接地層が含まれている。加熱ケーブルは各用途に合わせて適当な長さに切断されることがある。そして、接続部をコネクター及びプラグに作らなければならない。
【０００５】
加熱ケーブルのような電気ケーブルと共に用いるためにコネクター及び電気プラグは多くの場合、ケーブルをプラグに取付ける前に、導電性ポリマーを電極から剥がす必要がある。ポリマーを剥がすことが困難な場合があり、特別な工具を必要とする場合があり、完全に「清浄な」電極にならず、それゆえ、プラグに良好な電気的接続を得ることが困難になる。さらに、ポリマーをはぎ取って、プラグを組立てるのに必要な時間が相対的に重要になることがある。
【０００６】
これらの非効率に対応するために、電気ケーブルの電極に電気的接続を行うのに使用する絶縁材除去型コネクターが開発されている。絶縁材除去型コネクター（ＩＤＣ：insulation displacement connector)は任意の構成にしうるが、多くの場合、フォーク(fork)の形状を有し、２本の歯がスロット(slot)により分離され、基部で接続している。多くの場合、この歯はその先端部に鋭利なエッジ(edge)を有し、電極を囲むポリマーに侵入する。特許文献２の内容は参考用として本明細書に組込まれているが、フォークの歯の間のスロット(slot)の底部に斜面付き溝を含んでいるＩＤＣを示している。斜面付き溝は、電極を囲むポリマー内にノッチ(notch)を作り、そのノッチがポリマーを分離し、良好な電気的接続を得るために清浄な面を残す。
【０００７】
多くの場合、電気的接続を容易にするために、固定具上にＩＤＣを取付けることは有用である。ＩＤＣ用の固定具には電気ケーブルを受入れるために固定された通路の寸法を有するワイヤ・ガイド・モジュール(wire guidemojule)が含まれる。ケーブルが通路内に挿入され、かつ、ＩＤＣモジュールとワイヤ・ガイド・モジュールが係合した時、ケーブルがＩＤＣ上のフォークの歯に押付けられる。それで、フォークの歯がケーブルを突き刺して、ケーブルの電極に電気的接触を行う。しかしながら、そのようなワイヤ・ガイドの固定された通路の寸法が、その固定された通路の寸法に対応した寸法を有したケーブルと共に用いるようにガイドを制限している。種々の寸法のケーブルを用いるとき、種々のワイヤ・ガイドをコネクター・アセンブリー内に設けなければならない。種々の寸法のケーブルを収容するためにコネクター・アセンブリー内に種々の寸法のワイヤ・ガイドを保管し、組立てることは非効率になりうる。
【０００８】
従って、多くのケーブル寸法を収容するように構成されたＩＤＣコネクター・アセンブリーのためのワイヤ・ガイドに対する必要性がある。
【０００９】
本発明の利点は、その例示的実施例についての以後の詳細説明から明らかになり、その説明は添付図面との関連で検討すべきである。
【特許文献１】米国仮特許出願60/569,474号明細書
【特許文献２】米国特許第6,206,720号明細書
【実施例】
【００１０】
説明を容易にするために、本発明に基づくワイヤ・ガイドを、本明細書では、特定の例示的実施例と関連させて説明する。例えば、本明細書では、ひとつのワイヤ・ガイドを加熱ケーブルに接続することに関連して有用であるとして示している。しかしながら、本発明に基づくワイヤ・ガイドが広範囲の電気ケーブルのタイプ及び構造に電気的接続をするのに使用しうる。例えば、その電気ケーブルは加熱ケーブル、動力用のケーブル又はコード(cord)、接地された電力線、又は、少なくとも１個の長い電極を含む他のタイプのケーブルから成っている。さらに、そのワイヤ・ガイドを単独で、又は、例えば、壁のコンセントのような電源に接続するための電気プラグの部分としてコネクター・アセンブリー内で使用しうる。それゆえ、ここで示す実施例は例示用にのみ示されていて、制限する意図では無いことを理解すべきである。
【００１１】
本明細書で用いる場合、「電気的に接続された」及び「電気的に結合された」の表現は、全ての接続、結合、リンク(link)、又は、一系統の要素により伝送された電流を、「接続している」又は「結合している」要素に送る同様の手段を示している。そのような「電気的に接続された」又は「電気的に結合された」装置は必ずしもお互いに直接接続を行わず、中間の要素又は装置により分離されていても良い。同様に、物理的接続又は結合に関連してここで用いられている「接続された」又は「結合された」の用語は相対的用語であり、直接の物理的接続を必要としない。
【００１２】
図１は例示的電気ケーブル１例えば加熱ケーブルの透視図で、その中には第一の長い電極３及び第二の長い電極５が加熱用抵抗要素を提供している導電性ポリマー・マトリックス(matrix)７の中に埋込まれている。絶縁層９は１を超える層を含むことがあり、導電性ポリマー・マトリックスを囲んでいる。そして、金属性接地層１１がその絶縁層を囲んでいる。絶縁層９はポリマーで、例えば、連続したポリマー層、ポリマーのブレード又はポリマーのテープ(tape)の形で良い。金属性接地層１１は、加熱ケーブルを電気的に接地して、又、機械的強度と耐摩耗性を提供するのに役立つ金属ブレードの形で良い。ある用途では、接地層１１が絶縁ジャケットによって囲まれていて、加熱ケーブルに対して環境的及び電気的絶縁が行われる。さらに、実施例は楕円の断面になっているけれども、ケーブルが他の形状例えば円形、卵形又は長方形で良い。
【００１３】
図２Ａ及び２Ｂは、異なる全幅を有する２本の別個のケーブル１ａ、１ｂの端面の略図である。示されているように、ケーブル１ａは幅Ｗ１であり、一方、ケーブル１ｂは幅Ｗ２であるが、それはＷ１より大きい。ケーブル１ａでは、図２Ａに示すように、電極３ａの中心からケーブル１ａの外端までの直線距離がＤ１である。電極５ａの中心からケーブル１ａの反対側外端までの直線距離がＤ２である。製造公差の範囲内で、Ｄ１がＤ２に等しい。さらに、製造公差の範囲内で、図２Ｂに示した電極３ｂの中心からケーブル１ｂの外端までの直線距離がＤ１に等しい。又、電極５ｂの中心からケーブルの反対側の外端までの直線距離がＤ２に等しい。異なる幅、例えばＷ１とＷ２のケーブル内で同一の距離Ｄ１、Ｄ２が、本発明に基づくワイヤ・ガイドの構造を可能にする。この場合、特定の幅を有するケーブルを受入れるために、ワイヤ・ガイドをを拡大／縮小して、その一方で、ＩＤＣコネクターを用いてケーブルの電極に電気的に接続できる。
【００１４】
図３は本発明に基づく例示的ワイヤ・ガイド・アセンブリー３００の略図である。示されているように、アセンブリーには第一３０２及び第二３０４のワイヤ・ガイドの部分を含む。第一ワイヤ・ガイドの部分３０２が直接又は間接に第一３１４及び第二３１６の歯を含む第一のＩＤＣのフォーク３０６に結合しうる。又、第二ワイヤ・ガイドの部分３０４が直接又は間接に第一３１８及び第二３２０の歯を含む第二のＩＤＣのフォーク３０８に結合しうる。ＩＤＣのフォーク３０６、３０８は、例えば、特許文献２に示されているように構成しうる。
【００１５】
第一及び第二のワイヤ・ガイドの部分は、それによりワイヤ・ガイドの開口部３１４を形成するために、お互いに隣接するように配置される。第一ワイヤ・ガイドの面３２２がワイヤ・ガイドの開口部の第一部分を形成し、又、第二ワイヤ・ガイドの面３２４が開口部の第二部分を形成する。ワイヤ・ガイドのＩＤＣのフォーク３０６、３０８が、それぞれ、第一及び第二の面に対して配置される。それで、ケーブルが第一及び第二の面に接して配置されるときに、電極がフォークの歯の間に配置される。
【００１６】
第一及び第二のワイヤ・ガイドの部分がスプリング(spring)３１０、３１２により固定構造体３２６に接するように偏ってワイヤ・ガイドの部分３０２、３０４が関連フォークと共に矢印A、Bの方向に独立した動きを行なえる。第一の幅、例えばW1、を有するケーブルがワイヤ・ガイドの開口部３１４に挿入されるので、スプリング３１０、３１２が第一の範囲に独立した圧縮を受ける。そして、開口部３１４がガイドの部分とフォークの相対的動きにより、ケーブルの幅を収容できる寸法にする。大きな幅例えばＷ２を有するケーブルがワイヤ・ガイドの開口部３１４に挿入されるとき、スプリングが大幅に圧縮されて、ワイヤ・ガイドの部分とその関連するフォークの分離を大きくして、大きな幅のケーブルを収容するように開口部３１４の寸法を設定できる。フォークがその関連するワイヤ・ガイドの部分と共に動くので、ケーブルがフォークの歯に押し込まれるとき、その歯の間に電極を受入れる位置を維持する。
【００１７】
それゆえ、本発明に基づくワイヤ・ガイド・アセンブリーが、種々の寸法例えば種々の幅を有するケーブルを受入れるための構成になっている。ワイヤ・ガイド・モジュールの拡大・縮小も、ケーブルの開口部に対して中心に位置しないケーブルへの接続を容易にする。示されていないけれども、ワイヤ・ガイドをさらに例えば四分円に分割して、種々の幅及び(又は)種々の高さを有するケーブルを収容するためにワイヤ・ガイドの部分の拡大・縮小を行なえることに留意すべきである。そのような実施例では、フォークがひとつの部分に固定された関係を有していて、ケーブルがフォークの歯に押付けられたときに、その歯の間に電極を受入れる。
【００１８】
図４及び５は、本発明に基づくワイヤ・ガイドの一実施例４００を示す。その実施例で、ワイヤ・ガイドの部分３０２ａ、３０４ａはインターロック(interlock)用のスロットと突起例えば４０２，４０４と共に構成されていて、フォーク３０６ａ、３０８が、それと共に動くように各ワイヤ・ガイドの部分の関連スロット内に配置されている。ワイヤ・ガイドの部分がフォークに対して下方に押されるので、ワイヤ・ガイドの開口部３１４ａ内のケーブルがフォークに押付けられ、フォークの部分３０６ａ、３０８ａがケーブルの電極と共にスロットを通って伸びてフォークと電気的に接触する。フォークは関連電極５００、５０２と電気的に接続して、フォークの歯の間に受入れるケーブルの電極と電気端子の間の電気的接続が行われる。
【００１９】
図６は本発明に基づくワイヤ・ガイド・アセンブリー４００の透視図で、コネクター・アセンブリー６００の一部が断面で示されている。コネクター・アセンブリーにはハウジング(housing)部分６０２が含まれる。ワイヤ・ガイドの偏ったスプリング例えばスプリング３１０，３１２がハウジング部分６０２とワイヤ・ガイドの部分３０２ａと３０４ａの部分の間に配置される。さらに、ハウジングの部分には開口部６０４が含まれるので、ケーブルを受入れてそのケーブルをワイヤ・ガイドの開口部の方に向わせる。ハウジング内の開口部６０４はケーブルの歪み軽減を単独で、又は、クリップ(clip)又はラッチ(latch)(図示せず）と組合わせて、行われる。
【００２０】
さらに、アセンブリーには、ワイヤ・ガイドの部分の上に配置された１以上のプレート６０６が含まれる。１以上の締結具例えばねじ６０８がプレート及びワイヤ・ガイドの部分内の関連する開口部６１０を通して伸びていて、ハウジングの関連部分例えばねじ付き開口部内に受入れられる。ワイヤ・ガイドの部分は、締結具を介して、プレート６０６上に力を伝えることにより、フォーク３０６ａ、３０８ａに対して下向きの力を加えられる。例えば、ねじをハウジング内のねじ付き開口部内にねじ込んで、ワイヤ・ガイド部分３０２ａ、３０４ａに向って下向きの力を加えて、それにより、フォーク３０６ａ、３０８ａに向ってワイヤ・ガイドの開口部内のケーブルを押付ける。ワイヤ・ガイドとハウジングが透明材料例えばポリマーから作られ、設置中にケーブルの位置を観察することが可能である。
【００２１】
図７Ａ及び７Ｂは、本発明に基づくワイヤ・ガイドの他の実施例７００のそれぞれ側面図と端面図である。その例示的ワイヤ・ガイドには反対側のワイヤ・ガイド内の関連開口部に伸ばすための第一７０２及び第二７０４の突起、例えば、図８に示すように、反対側の係合するワイヤ・ガイド８００の第一及び第二の突起を受けるための第一７０６及び第二７０８の開口部が含まれる。ワイヤ・ガイド７００にはハウジングに向ってワイヤ・ガイドを偏らせるための圧縮スプリング３１０を受けるための穴７１０が含まれる。図８に示すように、第一７００及び第二８００のワイヤ・ガイドを係合するとき、ワイヤ・ガイドの面、例えば面７１２、がケーブルの開口部を形成する。ワイヤ・ガイド内のスロット８０２、８０４がＩＤＣのフォークを受ける。ケーブルの開口部は種々の寸法のケーブルを収容するためにスプリング３１０、３１２の偏りに対して拡大／縮小する。
【００２２】
本発明に基づくワイヤ・ガイド・アセンブリーはそれ自体で使用しうるが、電気プラグの一部として使用しうる。プラグのハウジングには第一及び第二のハウジング部材が含まれ、係合無しの又は係合ありの構成で供給される。係合無しの構成では、ハウジング部材が分離した部品であるか、又は、例えば、ヒンジ(hinges)により結合することがある。係合したとき、ハウジング部材がお互いに直接的に、又は、ガスケットのような密封部材により間接的に接触しうる。ハウジング部材は、例えば、ストラップ(strap)、ラッチ(latch)、スプリング・クランプ(spring clamp)、ブラケット(bracket)、１以上のねじ、内蔵スナップ(snap)等の固定手段によりその係合構造を維持しうる。その固定手段は取外しできて、それによりハウジング部材をお互いに係合無しにする、又、プラグを再挿入できるようにする。一実施例では、固定手段にねじを含めて、ケーブル挿入後に締付けたときに、良好な電気的接触を実現して、維持できるようにする。
【００２３】
図９Ａ−９Ｄ及び図１０Ａ−１０Ｃが、本発明に基づくプラグ・アセンブリーを形成するのに有用な第一９００及び第二１０００の例示的ハウジング部材を示している。ハウジング部材はリブ(rib)又はボス(boss)、又は、、名前としては、例えば、特許文献２に示されているように、本発明に基づくワイヤ・ガイド・アセンブリー及び関連する電気的要素と結合部の受入と保持を含む種々の機能により、区分して別個の部品にしうる。図１１が、ＩＤＣのフォークを通じてケーブルの電極に電気的に接続するために、本発明に基づくハウジングにより形成された例示的電気接続用母線構成を示している。
【００２４】
アセンブリー又はプラグのハウジング部材、ワイヤ・ガイド・アセンブリーの部分、及び、他の構造要素は、絶縁された金属、又は、セラミックから、又は、特定要素に成形され、かつ、ＵＬ７４６Ｃのような試験により測定されたときに、少なくとも５フィート・ポンドの衝撃強度を有するポリマーから作られる。選択されたポリマーは軽量で、射出成形又はトランスファー成形又は同様の処理技術により成形でき、間欠使用と連続使用に必要な温度に耐える。適当なポリマーには以下が含まれる：ポリカーボネート、ナイロン、ポリエステル、ポリフェニレンサルファイド、ポリフェニレンオキサイド、及び、他のエンジニアリング・プラスチック。適当な充填材及び安定剤が存在する。アセンブリー又はプラグの衝撃強度を高めるために、リブ又はボスのような内部要素、及び、溝のような外部要素が種々の要素の設計に組込まれる。
【００２５】
本発明は特定の実施例について詳細に示されているが、これは明確化と便宜上のためであること、及び、ここでの開示には、本明細書を通じて見いだされた情報の適当な組合わせの全てが含まれていることを理解すべきである。特定の実施例又は形状との関連で特定の機能が開示された場合、そのような機能は、他の機能との関連で、他の機能又は本発明全体との組合わせにより適当な範囲で使用しうる。
【図面の簡単な説明】
【００２６】
【図１】本発明に基づくアセンブリー又は電気プラグと共に用いられる電気ケーブルの透視図である。
【図２Ａ−２Ｂ】種々の幅を有する第一及び第二の電気ケーブルの概略の断面図である。
【図３】本発明に基づく例示的ワイヤ・ガイド・アセンブリーの略図である。
【図４】本発明に基づく例示的ワイヤ・ガイド・アセンブリーの透視図である。
【図５】図４に示したアセンブリーの前面図である。
【図６】図４で示したアセンブリーを含めて本発明に基づくコネクター・アセンブリーの透視図である。
【図７Ａ−７Ｂ】本発明に基づく例示的ワイヤ・ガイドの部分のそれぞれ端面図及び側面図である。
【図８】図７に示した第一及び第二のワイヤ・ガイドの部分を含めて本発明に基づくワイヤ・ガイド・アセンブリーの上面図で部分的に想像線である。
【図９Ａ−９Ｄ】本発明に基づくコネクター・アセンブリーを形成するのに有用な第一ハウジング部分の上面、側面、端面、断面の図面である。
【図１０Ａ−１０Ｃ】本発明に基づくコネクター・アセンブリーを形成するのに有用な第二ハウジング部分の上面、側面、端面、断面の図面である。
【図１１】本発明に基づくコネクター・アセンブリーに電気的に接続する例示的ブスバー構造の上面図である。
【図１】
2007536710.tif 000003
【図２Ａ】
2007536710.tif 000004
【図２Ｂ】
2007536710.tif 000005
【図３】
2007536710.tif 000006
【図４】
2007536710.tif 000007
【図５】
2007536710.tif 000008
【図６】
2007536710.tif 000009
【図７Ａ】
2007536710.tif 000010
【図７Ｂ】
2007536710.tif 000011
【図８】
2007536710.tif 000012
【図９Ａ】
2007536710.tif 000013
【図９Ｂ】
2007536710.tif 000014
【図９Ｃ】
2007536710.tif 000015
【図９Ｄ】
2007536710.tif 000016
【図１０Ａ】
2007536710.tif 000017
【図１０Ｂ】
2007536710.tif 000018
【図１０Ｃ】
2007536710.tif 000019
【図１１】
2007536710.tif 000020
【国際調査報告】
2007536710.tif 000021